(57)【要約】【課題】スイッチボックスや取付枠を備えた既設のアウトレット部品を一部利用することで容易に組み付け可能とした光アウトレット構造を提供する【解決手段】コンセントプレートと一体化してなるアウトレット本体１を備え、該アウトレット本体１は、内側に光コネクタ接続用の光アダプタ５を備え且つ光ケーブルＬを巻装収容可能とし、前面側に電話用モジュラージャックを含む電気的接続のための接続部を有してなる光アウトレット構造であって、前記光アダプタ５に対する光コネクタ接続用の開口部６がアウトレット本体１の片側一端における上下対称箇所に設けられ、前記光アダプタ５は前記開口部６内側に脱着可能となって収容され、使用していない開口部６はキャップ９で閉塞される。【選択図】図１
2008281807.tif 000002
【特許請求の範囲】
【請求項１】
コンセントプレートと一体化してなるアウトレット本体を備え、該アウトレット本体は、内側に光コネクタ接続用の光アダプタを備え且つ光ケーブルを巻装収容可能とし、前面側に電話用モジュラージャックを含む電気的接続のための接続部が設けられてなる光アウトレット構造であって、前記光アダプタに対する光コネクタ接続用の開口部をアウトレット本体の片側一端における上下対称箇所に設けることで挿入口を左右どちらでも選択でき、光アダプタ外周４面共にかかえ込む構造でプラグ挿入方向に対し直角方向への固定把持が強固な構造となっている前記光アダプタは、前記開口部内側に押し込むだけで容易に固定し容易に脱着可能となって収容されてなることを特徴とする光アウトレット構造。
【請求項２】
光コネクタ接続用の使用されていない開口部は、脱着可能とした光アダプタと同構造の係止構造をもつキャップの装着により閉塞可能としてある請求項１記載の光アウトレット構造。
【請求項３】
光コネクタ接続用の開口部内側には、当該開口部に挿入された光アダプタを係止固定させる係止片を備え、前記キャップに設けられたクサビを、この係止片にあてがって係止固定を解除することで光アダプタの取り外しが可能となるようにしてある請求項１または請求項２記載の光アウトレット構造。
【請求項４】
光アダプタには、遮光と防塵のためのシャッター機構を備えている請求項１乃至３のいずれか記載の光アウトレット構造。
【請求項５】
光ケーブルが巻装収容されるアウトレット本体の裏面には、当該光ケーブルの予め設定された巻き付け経路に沿って浮き文字が複数箇所に刻設されている請求項１乃至４のいずれか記載の光アウトレット構造。
【請求項６】
アウトレット本体の裏面外縁部には、自体の高さを変更するためのスペーサを保持固定機構を介して付設可能としてある請求項１乃至５のいずれか記載の光アウトレット構造。
【請求項７】
アウトレット本体を壁面に配設された取付枠に固定するための脱落防止構造によるネジユニットを備え、該ネジユニットは、アウトレット本体にスナップフィット止めされるネジ固定リングと、該ネジ固定リングに嵌挿されたネジ部とからなる請求項１乃至６のいずれか記載の光アウトレット構造。
【請求項８】
電話用モジュラージャックを含む電気的接続のための接続部は、アウトレット本体に部分的に繋がれた連結部分を切断することで個別に切り抜き開放可能となっているとともに、切断後の切り残し部分が外部から見えない位置に設けられたノックアウトプレート方式による複数の目隠しパネルが配されてなる請求項１乃至７のいずれか記載の光アウトレット構造。
【発明の詳細な説明】
【技術分野】
【０００１】
本発明は、室内の各種電気機器を接続して電気的および光学的な信号の授受を行うために、壁面に取付けられた光アウトレット構造に関する。
【背景技術】
【０００２】
従来による電源線、電話線、ＴＶ信号線等のアウトレットとしては、これを光学的な信号授受を可能とする複合型にするために、例えば特許文献１に開示されているようなアウトレット構造が存在する。すなわち、この既存のコンセントプレートを、通常の電気的な接続用のアウトレットのコンセントプレートに置き換えて取付けるもので、合成樹脂等で成形された光ファイバ収納プレートとカバープレートからなり、光ファイバ収納プレートはカバープレートに嵌め込み等により取付けられるようになっている。そして、コンセントプレートのプレート面には、電気的接続のための接続口、例えば、電話用モジュラージャックをコンセント穴から露出するように取付けて接続口が形成され、プレート前面方向から電話用プラグが接続される。
【０００３】
このとき、コンセント穴を複数個設け、電話用モジュラージャックを配設する以外に電源用コンセント、ＴＶ用アンテナ端子等を配設するように、これらを組み合わせる形態とされ、コンセントプレートの下方側には、光学的接続の接続口、例えば、単心用又は多心用の光コネクタ接続アダプタの接続口が下方に向くように取付けられ、光コネクタプラグはプレート面と平行な下方から接続口に挿入して接続するものとされている。
【特許文献１】特開２００４−１５７２６３号公報
【発明の開示】
【発明が解決しようとする課題】
【０００４】
しかしながら、従来においては、壁面に取付けられた既設のアウトレットボックスのプレート枠とフェイスプレートを、光ファイバーが収納されるコンセントプレートと置き換えるなど、これの構成部品の一部あるいは全部を取り外して新たな構成部品と置き換えるものであるから、既設のアウトレットから上記した複合型のアウトレットに変更する場合、作業に手間が掛かり、しかも部品点数が増えることから、コストも掛かってしまう問題がある。
【０００５】
また、この複合型のアウトレットのコンセントプレートは、合成樹脂等で成形された光ファイバ収納プレートとカバープレートからなり、光ファイバ収納プレートはカバープレートに嵌め込み等により取付けられるようになっているため、アウトレット構造がとりわけ複雑となり、作業に時間と手間が掛かる問題がある。
【０００６】
さらに、壁面内にあるアウトレットボックスからの光屋内線の取り出しに際し、この光屋内線の取り出し方向は加入者側のコネクタの方向によって決定されるのであるが、従来の複合型のアウトレットのコンセントプレートは光接続用アダプタの位置を変更できないことから、光屋内線の取り出し方向に対するアウトレットの組み付け自由度および組み付け性能が低下するものとなるという問題がある。
【０００７】
そこで、本発明は、叙上のような従来存した諸事情に鑑み案出されたもので、コンセントプレートと一体化された複合型のアウトレットの配設作業が簡単となり、しかも部品点数が増えずに低コストとなると共に、複合型のアウトレット構造が、スイッチボックスや取付枠を備えた既設のアウトレット部品を一部利用することで容易に組み付け形成することができ、さらに光屋内線の取り出し方向に対する光アダプタの位置を変更可能にすることで、アウトレットの組み付け自由度および組み付け性能、さらには光コネクタ挿入性能も向上するものとなる光アウトレット構造を提供することを目的とする。
【課題を解決するための手段】
【０００８】
上述した課題を解決するため、本発明にあっては、コンセントプレートと一体化してなるアウトレット本体を備え、該アウトレット本体は、内側に光コネクタ接続用の光アダプタを備え且つ光ケーブルを巻装収容可能とし、前面側に電話用モジュラージャックを含む電気的接続のための接続部が設けられてなる光アウトレット構造であって、前記光アダプタに対する光コネクタ接続用の開口部をアウトレット本体の片側一端における上下対称箇所に設けることで挿入口を左右どちらでも選択でき、光アダプタ外周４面共にかかえ込む構造でプラグ挿入方向に対し直角方向への固定把持が強固な構造となっている前記光アダプタは、前記開口部内側に押し込むだけで容易に固定し容易に脱着可能となって収容されてなることを特徴とする。
【０００９】
光コネクタ接続用の使用されていない開口部は、脱着可能とした光アダプタと同構造の係止構造をもつキャップの装着により閉塞可能としてある。
【００１０】
光コネクタ接続用の開口部内側には、当該開口部に挿入された光アダプタを係止固定させる係止片を備え、前記キャップに設けられたクサビを、この係止片にあてがって係止固定を解除することで光アダプタの取り外しが可能となるようにしてある。
【００１１】
光アダプタには、遮光と防塵のためのシャッター機構を備えている。
【００１２】
光ケーブルが巻装収容されるアウトレット本体の裏面には、当該光ケーブルの予め設定された巻き付け経路に沿って浮き文字が複数箇所に刻設されている。
【００１３】
アウトレット本体の裏面外縁部には、自体の高さを変更するためのスペーサを保持固定機構を介して付設可能としてある。
【００１４】
アウトレット本体を壁面に配設された取付枠に固定するための脱落防止構造によるネジユニットを備え、該ネジユニットは、アウトレット本体にスナップフィット止めされるネジ固定リングと、該ネジ固定リングに嵌挿されたネジ部とからなる。
【００１５】
電話用モジュラージャックを含む電気的接続のための接続部は、アウトレット本体に部分的に繋がれた連結部分を切断することで個別に切り抜き開放可能となっているとともに、切断後の切り残し部分が外部から見えない位置に設けられたノックアウトプレート方式による複数の目隠しパネルが配されてなる。
【発明の効果】
【００１６】
本発明によれば、コンセントプレートと一体化された複合型のアウトレットの配設作業が簡単となり、しかも部品点数が増えずに低コストとなると共に、複合型のアウトレット構造が、スイッチボックスや取付枠を備えた既設のアウトレット部品を一部利用することで容易に組み付け形成することができ、さらに光屋内線の取り出し方向に対する光アダプタの位置を変更可能にすることで、アウトレットの組み付け自由度および組み付け性能、さらには光コネクタ挿入性能も向上するものとなる。
【００１７】
すなわち、本発明は、光アダプタに対する光コネクタ接続用の開口部がアウトレット本体の片側一端における上下対称箇所に設けられ、前記光アダプタは前記開口部内側に脱着可能となって形成されているので、電話用モジュラージャックを含む電気的接続のための接続部が例えば２口または３口となったアウトレット本体を壁面に取付ける際に、光コネクタの接続位置を壁に向かって右端あるいは左側に配置したい場合、アウトレット本体を１８０度回転させることによって右端配置、左端配置いずれかの位置を容易に選ぶことができる。
【００１８】
このとき、アウトレット本体が１８０度回転配置されることにより光コネクタの接続側が上方を向いてしまう場合は、容易に取り外し可能な光アダプタを用いてこれを下方に向けることも可能となる。
【００１９】
また、このとき、光アダプタは、光コネクタ接続用の開口部に対する押し込むだけのワンタッチ動作で容易に固定させることができ、キャップを使用することでのワンタッチ動作で容易に離脱させることができる。
【００２０】
さらに、アウトレット本体の開口部内側は、光アダプタ外周４面ともに抱え込むように形成されており、プラグ挿入方向に対し直角方向への固定把持が可能な強固な構造となっている。
【００２１】
光コネクタ接続用の使用されていない開口部は、脱着可能としたキャップの装着により閉塞可能としてあるので、不使用となっている開口部側からアウトレット本体内部への異物や埃等の浸入を未然に防止することができる。このとき、キャップを光アダプタの係止構造と同構造に形成することで操作性が向上する。
【００２２】
光コネクタ接続用の開口部内側には、当該開口部に挿入された光アダプタを係止固定させる係止片を備え、前記キャップに設けられたクサビを、この係止片にあてがって係止固定を解除することで光アダプタの取り外しが可能となるようにしてあるので、特別な治具を使用しなくても簡単な操作で光アダプタの取り外しが可能となる。
【００２３】
光アダプタには、遮光と防塵のためのシャッター機構を備えているので、光アダプタを介しての光コネクタ接続に際し、前記機能の他に、光コネクタ先端部の損傷等を未然に防止することができる。
【００２４】
光ケーブルが巻装収容されるアウトレット本体の裏面には、当該光ケーブルの予め設定された巻き付け経路に沿って浮き文字が複数箇所に刻設されているので、該浮き文字に沿って光ケーブルを巻き付けることで誤配線を容易、確実に防止することができる。
【００２５】
アウトレット本体の裏面外縁部には、自体の高さを変更するためのスペーサを保持固定機構を介して付設可能としてあるので、アウトレット本体の高さを容易にして、しかも自由に変更させることができ、例えばアウトレット本体内部に配設されるスイッチボックスや取付枠等の機構部品に寸法上の変更があった場合においても機械的な干渉を受けない構造に変えることができる。
【００２６】
アウトレット本体を壁面に配設された取付枠に固定するための脱落防止構造によるネジユニットを備え、該ネジユニットは、アウトレット本体に容易に交換可能なスナップフィット止めされるネジ固定リングと、該ネジ固定リングに嵌挿されたネジ部とからなるので、前記取付枠の介設によるアウトレット本体の高さの変化に対応して、長さの異なるネジ固定リングおよびネジ部それぞれが交換される際に、この交換作業に手間がかかったりネジやネジ取付部に損傷を与えるようなことがないものである。
【００２７】
電話用モジュラージャックを含む電気的接続のための接続部は、アウトレット本体に部分的に繋がれた連結部分を切断することで個別に切り抜き開放可能となっているとともに、切断後の切り残し部分が外部から見えない位置に設けられたノックアウトプレート方式による複数の目隠しパネルが配されてなるので、必要とする目隠しパネルの連結部分を切断することで、任意の位置に取付けられた既設のモジュールのための窓を容易に開けることができる。これにより既設のモジュールの位置変更を行う必要が無くアウトレット取付工事が容易、迅速となる。さらに、目隠しパネルの除去後の状態が見栄えの良い状態となり、しかも安全性が増し切り残し部分によって手等に傷を負わせるようなこともないものである。
【発明を実施するための最良の形態】
【００２８】
以下、図面を参照して本発明を実施するための最良の一形態を説明する。
本発明に係る光アウトレット構造は、図１に示すように、壁面に穿った開口部ａを介して内装されたアウトレットボックスＲにおいて、例えば電話用モジュラージャックやＬＡＮ用モジュラージャック等を取付固定した状態でアウトレットボックスＲの前面開口部側のネジ孔ＳにネジＴでネジ止め固定される取付枠２と、該取付枠２にスペーサ３を介して前面から取付けられ、電話用モジュラージャックを含む電気的接続のための複数口の例えば３個が縦一列となった接続部４を形成してなるアウトレット本体１とを備えている。
【００２９】
このアウトレット本体１は、図１乃至図４に示すように、裏面側に内蔵される局側光コネクタＰ１と加入者側光コネクタＰ２との二つの光コネクタ同士を接続するためのシャッター機構Ｑを備えた光アダプタ５を備え、該光アダプタ５に対する加入者側光コネクタＰ２接続用の開口部６がアウトレット本体１の片側一端における上下対称箇所に設けられている。この光アダプタ５自体は、前記開口部６を介して脱着可能となるように収容してある。
【００３０】
すなわち、図３乃至図５に示すように、開口部６内側には、撓曲可能な係止片７を備え、開口部６に挿入された光アダプタ５の上面に突設されている略三角形状の複数の突起８を係止させることで当該光アダプタ５は開口部６内側で収容固定されるようにしてある。また、一方の開口部６が使用可能とされている場合には、他方の開口部６は脱着可能としたキャップ９で閉塞される。
【００３１】
このキャップ９の片面には略三角形状の突起１０が形成され、キャップ９が開口部６内側に挿入された際には、当該開口部６の係止片７に突起１０が係止して固定される。一方、開口部６からキャップ９を取り出す場合には、図３に示すように、内側から開口部６外方に向けてキャップ９を強制的に押し出せば良い。
【００３２】
また、キャップ９の他面にはクサビ１１を備えており、光アダプタ５を開口部６から取り外す場合には、図４および図５（ａ）乃至（ｄ）に示すように、取り出し後のキャップ９のクサビ１１を係止片７にあてがっておき、該係止片７をクサビ１１で持ち上げるようにして係止固定を解除させることで光アダプタ５の取り外しが可能となるようにしてある。このキャップ９は上下２箇所の開口部６の何れにも装着可能であり、このキャップ９の使用後には、図５（ｅ）乃至（ｇ）に示すように、アウトレット本体１の光アダプタ５が配されていない側の開口部６に装着しておくものである。
【００３３】
これによって加入者側光コネクタＰ２の取出方向はアウトレット本体１の１８０度回転により左右共に可能となる。すなわち、図２に示すように、加入者側光コネクタＰ２の接続位置を壁に向かって右端あるいは左側に配置したい場合には、アウトレット本体１を１８０度回転させることによって右端配置、左端配置いずれかの位置を選べば良い。このとき、アウトレット本体が１８０度回転配置されることによって加入者側光コネクタＰ２の接続側が上方を向いてしまう場合は、取り外し可能な光アダプタ５を用いてこれを下方に向けることが可能となる。
【００３４】
また、図６および図７に示すように、アウトレット本体１の裏面側には、局側光コネクタＰ１の光ケーブルＬを接続部４の周囲を取り巻くようにして巻装収容されることで、壁面からの配線工事に必要な光ケーブルＬの長さを収納できるようになっており、工事の失敗分の余長も確保できる。このとき、光ケーブルＬが巻装収容されるアウトレット本体１の裏面には、開口部６内側に配された光アダプタ５の位置から光ケーブルＬの巻き付け経路に沿って、例えばアルファベット等の浮き文字１２が複数箇所に刻設されており、この浮き文字１２のアルファベット順に引き回すことで光ケーブルＬの誤った引き回しを未然に防げるようにしてある。
【００３５】
この浮き文字１２としては、一方の開口部６からは大文字のアルファベットが順次刻設され、他方の開口部６からは小文字のアルファベットが順次刻設されている。これにより、アウトレット本体１の１８０度回転によって、局側光コネクタＰ１が右下に配置された場合には、図６に示すように、大文字のアルファベットによる浮き文字１２の順に引き回され、局側光コネクタＰ１が左下に配置された場合には、図７に示すように、小文字のアルファベットによる浮き文字１２の順に引き回されるようにしてある。
【００３６】
図８に示すように、アウトレット本体１の裏面外縁部には、アウトレット本体１自体の高さを変更するための矩形枠状のスペーサ３を保持固定機構１４を介して付設可能としてある。この保持固定機構１４としては、例えばアウトレット本体１の裏面外縁部における四隅に孔部１４ａが形成され、スペーサ３の片面四隅に形成された突起１４ｂを、この孔部１４ａに嵌合させることによってスペーサ３自体が保持固定されるようにしてある。こうして、例えばアウトレット本体１内部に配設される、例えばスイッチボックスや取付枠２等の機構部品に寸法上の変更があった場合においても機械的な干渉を受けない構造にすることができる。
【００３７】
このスペーサ３は、図９に示すように、３個の接続部４が縦一列となった１口型のアウトレット本体１である場合、図１０に示すように、３個の接続部４が縦二列となった２口型のアウトレット本体１である場合、図１１に示すように、３個の接続部４が縦三列となった３口型のアウトレット本体１である場合それぞれに対応した大きさに形成されている。
【００３８】
また、図１２に示すように、アウトレット本体１は、壁面に配設されたアウトレットボックスＲの前面開口部側にネジ止め固定されている取付枠２に、脱落防止構造によるネジユニット１５を介して固定される。このネジユニット１５は、アウトレット本体１のネジ取付孔１３にスナップフィット止めされるブッシング状のネジ固定リング１５ａと、該ネジ固定リング１５ａに嵌挿されたネジ部１５ｂとからなり、ネジ固定リング１５ａ、ネジ部１５ｂそれぞれは一体化されている。
【００３９】
そして、ネジ取付孔１３へのネジユニット１５の装着は表側から手指で押圧すれば良く、一方、ネジユニット１５の取り外しは裏側から手指で押圧すれば良い。こうして、道具無しでもネジユニット１５の脱着が確実、容易に行える。
【００４０】
また、取付枠２等の機構部品に寸法上の変更があった場合には前記スペーサ３を使用することとなるが、これに伴ってネジユニット１５の長さも変更する必要がある。例えば、図１３に示すように、厚さサイズの大きなスペーサ３を使用する場合には、長目のネジユニット１５を使用する。
【００４１】
電話用モジュラージャックを含む電気的接続のための接続部４には、アウトレット本体１に部分的に繋がれた連結部分を切断することで個別に切り抜き開放可能としたノックアウトプレート方式による複数の目隠しパネル１７が配されている。すなわち、図１４に示すように、この接続部４の開口縁に合致した目隠しパネル１７を略Ｌ字型の連結リブ１８を介して当該開口縁に連結されることで抜き打ち破断可能とした所謂ノックアウトプレート方式を採用し、接続部４は目隠しパネル１７の必要な連結リブ１８の根元位置をニッパー１６等で切断して使用する。
【００４２】
例えば、３個の目隠しパネル１７の内の１個を破断して使用し、残りの２個の目隠しパネル１７は付けたままとする。このとき、図１４に示すように、連結リブ１８は、略Ｌ字型に形成され、この端部が接続部４の開口縁の後側に連結されているため、この端部根元を切断した後の切り残し部分は外部から見えないものとなる。
【００４３】
次に、以上のように構成された最良の形態についての組立、使用、動作の一例について説明する。
【００４４】
先ず、例えば電話用モジュラージャックやＬＡＮ用モジュラージャック等を取付固定した状態でアウトレットボックスＲの前面開口部側のネジ孔ＳにネジＬでネジ止め固定されている取付枠２と壁面との間に形成されている隙間を利用して光屋内線が取り出される。また、必要に応じて取付枠２のネジを緩めて取付枠２と壁面との間に充分な隙間を確保しておく。
【００４５】
そして、図１４に示すように、アウトレット本体１の接続部４は、この目隠しパネル１７の必要な位置における連結リブ１８の根元をニッパー１６等で切断して使用する。例えば、３個の目隠しパネル１７の内の１個を破断して使用し、残りの２個の目隠しパネル１７は付けたままとする。
【００４６】
アウトレット本体１は、これを１８０°回転しての設置に伴い光アダプタ５の位置を左右いずれかに変更する。このアウトレット本体１からの光アダプタ５の取り外しは、キャップ９を用いて行う。
【００４７】
すなわち、アウトレット本体１の上下対称位置にある開口部６相互間での光アダプタ５の配置換えに際し、図３に示すように、開口部６の内側から外方へキャップ９を抜脱する。そして、図４および図５（ａ）乃至（ｄ）に示すように、キャップ９のクサビ１１を係止片７にあてがっておき、該係止片７をクサビ１１で持ち上げるようにして係止固定を解除させることで光アダプタ５が取り外される。
【００４８】
そして、この取り出した光アダプタ５を他方の開口部６に取付ける。このキャップ９の使用後には図５（ｅ）乃至（ｇ）に示すようにアウトレット本体１の光アダプタ５が配されていない側の開口部６に当該キャップ９を装着しておく。
【００４９】
ついで、図６または図７に示すように、光アダプタ５の内側の嵌合端には局側光コネクタＰ１を嵌合接続し、局側光コネクタＰ１の光ケーブルＬを浮き文字１２のアルファベット順に引き回すことでアウトレット本体１の裏面側に収容される。
【００５０】
また、図８および図１２に示すように、アウトレット本体１の裏面外縁部にはスペーサ３が保持固定機構１４によって装着され、取付枠２の前面にネジユニット１５を介して固定される。このとき、ネジユニット１５は、アウトレット本体１のネジ取付孔１３にスナップフィット止めされるブッシング状のネジ固定リング１５ａと、該ネジ固定リング１５ａに嵌挿されたネジ部１５ｂとからなり、ネジ固定リング１５ａ、ネジ部１５ｂそれぞれは一体化されているので、アウトレット本体１のネジ取付孔１３へのネジユニット１５の装着は表側から手指で押圧すれば良く、一方、ネジユニット１５の取り外しは裏側から手指で押圧すれば良い。
【００５１】
また、取付枠２等の機構部品に寸法上の変更があった場合、例えば、図１３に示すように、厚さサイズの大きなスペーサ３を使用する場合には、長目のネジユニット１５を使用する。
【００５２】
図２に示すように、アウトレット本体１の開口部６への加入者側光コネクタＰ２の接続に際し、光アダプタ５の嵌合端に加入者側光コネクタＰ２を嵌合させる前では、シャッター機構Ｑは、不図示の板バネにより当該嵌合端を閉鎖している状態となっているが、加入者側光コネクタＰ２の差し込みによってシャッター機構Ｑが押され、板バネの弾発力に抗して嵌合端内側に当該シャッター機構Ｑが傾倒する。
【００５３】
そして、加入者側光コネクタＰ２を更に押し込むと、シャッター機構Ｑは水平状態となり、その外側面上方に形成されているガイド部材の突起部における傾斜ガイドに加入者側光コネクタＰ２はガイドされながら移動する。
【００５４】
加入者側光コネクタＰ２が完全に押し込まれた際には、板バネの弾発力によって、ガイド部材の突起部と、光アダプタ５の上側壁との間で加入者側光コネクタＰ２がしっかりと挟持された状態となる。而して、両コネクタ同士の接続が完了する。
【図面の簡単な説明】
【００５５】
【図１】本発明を実施するための最良の形態における光アウトレット構造を示す分解斜視図である。
【図２】同じくアウトレット本体の使用の一例を示すもので、（ａ）は斜視図、（ｂ）は１８０度回転して使用した場合の斜視図である。
【図３】キャップの取り外し例を示すもので、（ａ）はアウトレット本体からキャップを押し出す状態の斜視図、（ｂ）はキャップ押出後の斜視図である。
【図４】同じくキャップによる光アダプタの取り外し例を示すもので、（ａ）はアウトレット本体から光アダプタを押し出す状態の斜視図、（ｂ）は光アダプタ押出後の斜視図である。
【図５】（ａ）乃至（ｄ）はキャップによる光アダプタの取り外し手順を説明する一部切欠断面図、（ｅ）乃至（ｇ）はアウトレット本体の開口部にキャップを装着する手順を示す一部切欠断面図である。
【図６】アウトレット本体の裏面側での光ケーブルの引き回しの一例を示し、（ａ）はアウトレット本体の裏面図、（ｂ）は局側光コネクタが左下位置に配されている状態の裏面図、（ｃ）は光ケーブル引き回し後の状態の裏面図である。
【図７】アウトレット本体の裏面側での光ケーブルの引き回しの他例を示し、（ａ）はアウトレット本体の裏面図、（ｂ）は局側光コネクタが右下位置に配されている状態の裏面図、（ｃ）は光ケーブル引き回し後の状態の裏面図である。
【図８】スペーサ取付の一例を示すもので、（ａ）は分解斜視図、（ｂ）はスペーサ取付後の斜視図である。
【図９】１口型の接続部を備えたアウトレット本体にスペーサを取付ける状態を示す分解斜視図である。
【図１０】２口型の接続部を備えたアウトレット本体にスペーサを取付ける状態を示す分解斜視図である。
【図１１】３口型の接続部を備えたアウトレット本体にスペーサを取付ける状態を示す分解斜視図である。
【図１２】アウトレット本体を薄目の取付枠に固定する一例を示し、（ａ）は分解斜視図、（ｂ）はネジユニットを取付ける前状態の一部切欠断面図、（ｃ）はネジユニットを取付けた後状態の一部切欠断面図、（ｄ）は取付枠固定後の一部切欠断面図である。
【図１３】アウトレット本体を厚目の取付枠に固定する一例を示し、（ａ）は分解斜視図、（ｂ）はネジユニットを取付ける前状態の一部切欠断面図、（ｃ）はネジユニットを取付けた後状態の一部切欠断面図、（ｄ）は取付枠固定後の一部切欠断面図である。
【図１４】目隠しパネルを切断する状態を示し、（ａ）は切断前の状態の斜視図、（ｂ）は（ａ）のＸ−Ｘ断面図、（ｃ）は切断後の断面図である。
【符号の説明】
【００５６】
Ｐ１    局側光コネクタ
Ｐ２    加入者側光コネクタ
Ｑ      シャッター機構
Ｒ      アウトレットボックス
Ｓ      ネジ孔
Ｌ      光ケーブル
Ｔ      ネジ
ａ      開口部
１      アウトレット本体
２      取付枠
３      スペーサ
４      接続部
５      光アダプタ
６      開口部
７      係止片
８      突起
９      キャップ
１０    突起
１１    クサビ
１２    浮き文字
１３    ネジ取付孔
１４    保持固定機構
１４ａ  孔部
１４ｂ  突起
１５    ネジユニット
１５ａ  ネジ固定リング
１５ｂ  ネジ部
１６    ニッパー
１７    目隠しパネル
１８    連結リブ
【図１】
2008281807.tif 000003
【図２】
2008281807.tif 000004
【図３】
2008281807.tif 000005
【図４】
2008281807.tif 000006
【図５】
2008281807.tif 000007
【図６】
2008281807.tif 000008
【図７】
2008281807.tif 000009
【図８】
2008281807.tif 000010
【図９】
2008281807.tif 000011
【図１０】
2008281807.tif 000012
【図１１】
2008281807.tif 000013
【図１２】
2008281807.tif 000014
【図１３】
2008281807.tif 000015
【図１４】
2008281807.tif 000016